(57)【要約】【課題】画像の立体感を部分的に調整することが可能な画像表示装置及びその制御方法を提供する。【解決手段】ユーザーがイラストＧ２の略中央の位置Ｌを電子ペンで指示すると、制御部は、イラストＧ２を囲む矩形の領域を強調領域Ｅとして決定する。画像調整部は、左眼用画像Ｐｌのうち強調領域Ｅに含まれる部位を所定量Ａ１だけ右側に移動させるとともに、右眼用画像Ｐｒのうち強調領域Ｅに含まれる部位を所定量Ａ２だけ左側に移動させる処理を行う。この結果、強調領域Ｅ内にあったイラストＧ２は、左眼用画像（実線）が右眼用画像（破線）の右側に位置するようになり、他のイラストＧ１，Ｇ３，Ｇ４よりも手前に飛び出しているように認識される。これにより、イラストＧ２が強調される。【選択図】図４
2014003465.tif 000002
【特許請求の範囲】
【請求項１】
両眼視差により立体画像を認識させる画像表示装置であって、
左眼用の画像及び右眼用の画像を表示する表示部と、
前記立体画像内の領域を指示する指示操作を受け付ける指示入力部と、
前記指示操作によって指示された前記領域内の視差量と、前記領域の外側の視差量を、それぞれ異なる調整量で調整する画像調整部と、
を備えたことを特徴とする画像表示装置。
【請求項２】
請求項１に記載の画像表示装置であって、
前記画像調整部は、前記指示操作によって指示された前記領域が相対的に飛び出して認識されるように前記視差量を調整することを特徴とする画像表示装置。
【請求項３】
請求項１又は２に記載の画像表示装置であって、
前記画像調整部は、前記左眼用の画像及び前記右眼用の画像の少なくとも一方について、前記指示操作によって指示された前記領域を移動させることを特徴とする画像表示装置。
【請求項４】
請求項１又は２に記載の画像表示装置であって、
前記画像調整部は、前記左眼用の画像及び前記右眼用の画像の少なくとも一方について、前記指示操作によって指示された前記領域の外側の領域を移動させることを特徴とする画像表示装置。
【請求項５】
左眼用の画像及び右眼用の画像を表示して、両眼視差により立体画像を認識させる画像表示装置の制御方法であって、
前記立体画像内の領域を指示する指示操作を受け付ける指示入力ステップと、
前記指示入力ステップで指示された前記領域内の視差量と、前記領域の外側の視差量を、それぞれ異なる調整量で調整する画像調整ステップと、
を備えたことを特徴とする画像表示装置の制御方法。
【請求項６】
請求項５に記載の画像表示装置の制御方法であって、
前記画像調整ステップでは、前記指示操作によって指示された前記領域が相対的に飛び出して認識されるように前記視差量を調整することを特徴とする画像表示装置の制御方法。
【請求項７】
請求項５又は６に記載の画像表示装置の制御方法であって、
前記画像調整ステップでは、前記左眼用の画像及び前記右眼用の画像の少なくとも一方について、前記指示操作によって指示された前記領域を移動させることを特徴とする画像表示装置の制御方法。
【請求項８】
請求項５又は６に記載の画像表示装置の制御方法であって、
前記画像調整ステップでは、前記左眼用の画像及び前記右眼用の画像の少なくとも一方について、前記指示操作によって指示された前記領域の外側の領域を移動させることを特徴とする画像表示装置の制御方法。
【発明の詳細な説明】
【技術分野】
【０００１】
本発明は、表示する画像を鑑賞者に立体画像として認識させる画像表示装置及びその制御方法に関する。
【背景技術】
【０００２】
プロジェクター等の画像表示装置が表示する画像を鑑賞者に立体画像として認識させるために、鑑賞者の左眼及び右眼に、それぞれ異なる画像（視差画像）を認識させる技術が種々提案されている（例えば、特許文献１参照）。このような技術において、鑑賞者が認識する立体感は、右眼用の画像と左眼用の画像の視差量に応じて変化する。特許文献２には、左眼用の画像と右眼用の画像の水平表示位置を変化させることによって視差量を調整可能なディジタル放送受信機が記載されている。
【先行技術文献】
【特許文献】
【０００３】
【特許文献１】特開２０１１−２５７６４５号公報
【特許文献２】特開２０００−７８６１５号公報
【発明の概要】
【発明が解決しようとする課題】
【０００４】
しかしながら、特許文献２に記載の技術では、右眼用の画像と左眼用の画像の位置関係を変えることによって画像全体の立体感を調整することは可能であるが、立体感を部分的に調整することはできない。このため、画像内の所望の位置の立体感を調整することによって画像の一部を強調することが可能な技術が求められている。
【課題を解決するための手段】
【０００５】
本発明は、上述の課題の少なくとも一部を解決するためになされたものであり、以下の形態又は適用例として実現することが可能である。
【０００６】
［適用例１］本適用例に係る画像表示装置は、両眼視差により立体画像を認識させる画像表示装置であって、左眼用の画像及び右眼用の画像を表示する表示部と、前記立体画像内の領域を指示する指示操作を受け付ける指示入力部と、前記指示操作によって指示された前記領域内の視差量と、前記領域の外側の視差量を、それぞれ異なる調整量で調整する画像調整部と、を備えたことを特徴とする。
【０００７】
この画像表示装置によれば、画像調整部が、指示操作によって指示された領域内の視差量と、この領域の外側の視差量を、それぞれ異なる調整量で調整するため、画像の立体感を部分的に調整することが可能となり、画像内の所望の領域を強調することが可能となる。
【０００８】
［適用例２］上記適用例に係る画像表示装置において、前記画像調整部は、前記指示操作によって指示された前記領域が相対的に飛び出して認識されるように前記視差量を調整することが望ましい。
【０００９】
この画像表示装置によれば、画像調整部が、指示操作によって指示された領域が相対的に飛び出して認識されるように視差量を調整するため、指示された領域が強調され、鑑賞者の視線をこの領域に誘導することが可能となる。
【００１０】
［適用例３］上記適用例に係る画像表示装置において、前記画像調整部は、前記左眼用の画像及び前記右眼用の画像の少なくとも一方について、前記指示操作によって指示された前記領域を移動させるようにしてもよい。
【００１１】
［適用例４］上記適用例に係る画像表示装置において、前記画像調整部は、前記左眼用の画像及び前記右眼用の画像の少なくとも一方について、前記指示操作によって指示された前記領域の外側の領域を移動させるようにしてもよい。
【００１２】
［適用例５］本適用例に係る画像表示装置の制御方法は、左眼用の画像及び右眼用の画像を表示して、両眼視差により立体画像を認識させる画像表示装置の制御方法であって、前記立体画像内の領域を指示する指示操作を受け付ける指示入力ステップと、前記指示入力ステップで指示された前記領域内の視差量と、前記領域の外側の視差量を、それぞれ異なる調整量で調整する画像調整ステップと、を備えたことを特徴とする。
【００１３】
この画像表示装置の制御方法によれば、画像調整ステップにおいて、指示入力ステップで指示された領域内の視差量と、この領域の外側の視差量を、それぞれ異なる調整量で調整するため、画像の立体感を部分的に調整することが可能となり、画像内の所望の領域を強調することが可能となる。
【００１４】
［適用例６］上記適用例に係る画像表示装置の制御方法において、前記画像調整ステップでは、前記指示操作によって指示された前記領域が相対的に飛び出して認識されるように前記視差量を調整することが望ましい。
【００１５】
この画像表示装置の制御方法によれば、画像調整ステップにおいて、指示操作によって指示された領域が相対的に飛び出して認識されるように視差量を調整するため、指示された領域が強調され、鑑賞者の視線をこの領域に誘導することが可能となる。
【００１６】
［適用例７］上記適用例に係る画像表示装置の制御方法において、前記画像調整ステップでは、前記左眼用の画像及び前記右眼用の画像の少なくとも一方について、前記指示操作によって指示された前記領域を移動させるようにしてもよい。
【００１７】
［適用例８］上記適用例に係る画像表示装置の制御方法において、前記画像調整ステップでは、前記左眼用の画像及び前記右眼用の画像の少なくとも一方について、前記指示操作によって指示された前記領域の外側の領域を移動させるようにしてもよい。
【００１８】
また、上述した画像表示装置及びその制御方法がコンピューターを用いて構築されている場合には、上記形態及び上記適用例は、その機能を実現するためのプログラム、或いは当該プログラムを前記コンピューターで読み取り可能に記録した記録媒体等の態様で構成することも可能である。記録媒体としては、フレキシブルディスクやハードディスク、ＣＤやＤＶＤ等の光ディスク、光磁気ディスク、不揮発性の半導体メモリーを搭載したメモリーカードやＵＳＢメモリー、画像表示装置の内部記憶装置（ＲＡＭやＲＯＭ等の半導体メモリー）等、前記コンピューターが読み取り可能な種々の媒体を利用することができる。
【図面の簡単な説明】
【００１９】
【図１】画像表示システムの概略構成を示す平面図。
【図２】プロジェクターの内部構成を示すブロック図。
【図３】プロジェクターの動作を説明するためのフローチャート。
【図４】第１実施形態の画像調整部による強調処理を説明するための説明図であり、（ａ）は、強調処理を行う前の投写画像を示す図、（ｂ）は、強調処理中の左眼用画像を示す図、（ｃ）は、強調処理中の右眼用画像を示す図、（ｄ）は、強調処理を行った後の投写画像を示す図。
【図５】第２実施形態の画像調整部による強調処理を説明するための説明図であり、（ａ）は、強調処理を行う前の投写画像を示す図、（ｂ）は、強調処理中の左眼用画像を示す図、（ｃ）は、強調処理中の右眼用画像を示す図、（ｄ）は、強調処理を行った後の投写画像を示す図。
【発明を実施するための形態】
【００２０】
（第１実施形態）
以下、第１実施形態の画像表示システムについて、図面を参照して説明する。
【００２１】
図１は、本実施形態の画像表示システムの概略構成を示す平面図である。
図１に示すように、画像表示システム１００は、両眼視差を利用して鑑賞者Ｍに立体画像を認識させるシステムであり、画像情報を供給する画像供給装置１と、画像表示装置としてのプロジェクター２と、プロジェクター２から画像が投写される投写面としてのスクリーン３と、シャッター装置としての液晶シャッターメガネ４と、電子ペン５とを含んで構成されている。
【００２２】
画像供給装置１は、立体画像を認識させるための画像情報をプロジェクター２に供給するものであり、本実施形態では、左眼用画像を表す左眼用の画像情報と、右眼用画像を表す右眼用の画像情報とを左右に並べて１フレーム内に収めたサイドバイサイド方式の画像情報を出力する。
【００２３】
プロジェクター２は、画像供給装置１から供給される画像情報に基づく左眼用画像及び右眼用画像を、交互に切り替えながらスクリーン３に投写する。また、プロジェクター２は、同期信号送信部２５を備えており、この同期信号送信部２５から、液晶シャッターメガネ４の動作タイミングを定めるための同期信号を、電波や赤外線等による無線通信で送信する。この同期信号は、プロジェクター２による左眼用画像と右眼用画像の切り替えに同期して液晶シャッターメガネ４を動作させるための信号である。
【００２４】
液晶シャッターメガネ４は、画像を鑑賞する鑑賞者Ｍに装着される。液晶シャッターメガネ４は、鑑賞者Ｍの左眼に対峙する左眼用の液晶シャッターと、右眼に対峙する右眼用の液晶シャッターとを備えており、各液晶シャッターは、光を透過させる透過状態と光の透過を遮断する遮断状態とを切り替え可能になっている。また、液晶シャッターメガネ４には、プロジェクター２から送信される同期信号を受信するための受信部（図示せず）が設けられている。液晶シャッターメガネ４は、左眼用画像が鑑賞者の左眼のみで認識され、右眼用画像が鑑賞者の右眼のみで認識されるよう、受信した同期信号に同期して左右の液晶シャッターを交互に透過状態にさせる。なお、液晶シャッターメガネ４の代わりに、液晶以外の方式で開閉を行うシャッターメガネを用いるようにしてもよい。
【００２５】
電子ペン５は、プロジェクター２に対して各種指示を行うための指示手段に相当するものであり、ペン状の本体の先端部（ペン先）に、押圧スイッチと、所定の周波数帯の光（例えば、赤外光）を発する発光部（例えば、発光ダイオード）とを備えている。そして、画像表示システム１００のユーザーＵが電子ペン５のペン先をスクリーン３に押し付ける操作（押圧操作）を行うと、押圧スイッチが押圧されて発光部が発光するようになっている。なお、ユーザーＵは、鑑賞者Ｍと同一であってもよい。
【００２６】
図２は、プロジェクター２の内部構成を示すブロック図である。
図２に示すように、プロジェクター２は、画像投写部１０と、制御部２０と、入力操作部２１と、画像分離部２２と、画像調整部２３と、液晶駆動部２４と、同期信号送信部２５と、撮像部２６とを備えている。
【００２７】
画像投写部１０は、光源としての光源装置１１、光変調装置としての３つの液晶ライトバルブ１２Ｒ，１２Ｇ，１２Ｂ、投写光学系としての投写レンズ１３等を備えて構成されている。画像投写部１０は、表示部に相当するものであり、光源装置１１から射出された光を、液晶ライトバルブ１２Ｒ，１２Ｇ，１２Ｂで画像光に変調し、この画像光を投写レンズ１３から投写してスクリーン３に画像を表示する。なお、表示部は、本実施形態における画像投写部１０のように、画像表示装置（プロジェクター２）外部に画像を表示させるものであってもよいが、画像表示装置自体に画像を表示させるものであってもよい。表示部が画像表示装置自体に画像を表示させる例としては、画像表示装置が液晶ディスプレイである場合等が考えられる。
【００２８】
光源装置１１は、超高圧水銀ランプやメタルハライドランプ等からなる放電型の光源ランプ１１ａを含んで構成されている。光源装置１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００２９】
液晶ライトバルブ１２Ｒ，１２Ｇ，１２Ｂは、一対の透明基板間に液晶が封入された透過型の液晶パネル等によって構成される。液晶ライトバルブ１２Ｒ，１２Ｇ，１２Ｂは、複数の画素（図示せず）がマトリックス状に配列された矩形状の画素領域１２ａを備えており、液晶に対して画素毎に駆動電圧を印加可能になっている。そして、液晶駆動部２４によって画像情報に応じた駆動電圧が各画素に印加されると、各画素は、画像情報に応じた光透過率に設定される。このため、光源装置１１から射出された光は、この液晶ライトバルブ１２Ｒ，１２Ｇ，１２Ｂの画素領域１２ａを透過することによって変調され、画像情報に応じた画像光となる。各色の画像光は、図示しない色合成光学系によって画素毎に合成されてカラーの画像光となり、投写レンズ１３からスクリーン３に投写される。
【００３０】
制御部２０は、ＣＰＵ（Central Processing Unit）や、各種データ等の一時記憶に用いられるＲＡＭ（Random Access Memory）、不揮発性のメモリーであるＲＯＭ（Read Only Memory）等を備え、ＲＯＭに記憶されている制御プログラムに従ってＣＰＵが動作することによりプロジェクター２の動作を制御する。
【００３１】
入力操作部２１は、ユーザーＵの入力操作を受け付けるものであり、ユーザーＵがプロジェクター２に対して各種指示を行うための複数の操作キー（図示せず）を備えている。ユーザーＵが入力操作部２１の各種操作キーを操作すると、入力操作部２１は、この操作を受け付けて、操作された操作キーに対応する制御信号を制御部２０に出力する。そして、制御部２０は、入力操作部２１から制御信号が入力されると、入力された制御信号に基づく処理を行って、プロジェクター２の動作を制御する。なお、入力操作部２１として、遠隔操作が可能なリモコン（図示せず）を用いた構成としてもよい。この場合、リモコンは、ユーザーＵの操作内容に応じた赤外線の操作信号を発信し、図示しない受信部がこれを受信して制御部２０に伝達する。
【００３２】
画像分離部２２は、画像供給装置１から入力されるサイドバイサイド方式の画像情報を、左眼用の画像情報と右眼用の画像情報とに分離する。そして、分離後の画像情報に対して、その解像度を、液晶ライトバルブ１２Ｒ，１２Ｇ，１２Ｂの解像度に合わせるための解像度変換処理を行って、画像調整部２３に出力する。
【００３３】
画像調整部２３は、制御部２０の制御に基づいて、画像分離部２２から入力される左眼用及び右眼用の画像情報に対して、左眼用画像と右眼用画像の視差量を変化させて立体感を調整するための処理を施し、処理後の画像情報を左右１フレームずつ交互に液晶駆動部２４に出力する。
【００３４】
液晶駆動部２４は、画像調整部２３から入力される画像情報に従って液晶ライトバルブ１２Ｒ，１２Ｇ，１２Ｂを駆動する。これにより、光源装置１１から射出された光は、液晶ライトバルブ１２Ｒ，１２Ｇ，１２Ｂによって画像情報に応じた画像光に変調され、この画像光が投写レンズ１３から投写される。これにより、左眼用の画像情報に基づく左眼用画像と、右眼用の画像情報に基づく右眼用画像がスクリーン３に交互に表示される。
【００３５】
同期信号送信部２５は、上述したように、制御部２０の制御に基づいて、左眼用画像と右眼用画像の切り替えに同期して液晶シャッターメガネ４を動作させるための同期信号を送信する。
【００３６】
撮像部２６は、ＣＣＤ（Charge Coupled Device）センサー、或いはＣＭＯＳ（Complementary Metal Oxide Semiconductor）センサー等からなる撮像素子等（図示せず）を備えており、スクリーン３上に投写された画像（投写画像）を含む範囲を撮像する。そして、撮像した画像（撮像画像）を表す画像情報を、撮像結果として制御部２０に出力する。ここで、撮像部２６は、電子ペン５から射出される赤外光を撮像可能になっており、ユーザーＵが投写画像上で電子ペン５の押圧操作を行った場合には、電子ペン５から射出された赤外光が撮像画像内に記録される。撮像部２６は、電子ペン５の発光状況を監視するために、短い周期で撮像を繰り返し、画像結果を制御部２０に順次出力する。
【００３７】
なお、投写画像と撮像画像とを対応付けるためのキャリブレーションが事前になされており、制御部２０は、撮像部２６から画像情報が入力されると、投写画像上のどの位置で電子ペン５が発光したのかを認識することができる。
【００３８】
図３は、プロジェクター２の動作を説明するためのフローチャートである。
本実施形態のプロジェクター２は、画像の一部の立体感を調整してこの部位を強調することが可能になっている。入力操作部２１には、画像の一部を強調するための図示しない操作キー（強調キー）が備えられており、ユーザーＵが強調キーを操作すると、プロジェクター２は、図３に示すフローに従って動作する。
【００３９】
図３に示すように、まず、制御部２０は、ユーザーＵによる強調すべき位置の指示を受け付ける（ステップＳ１０１）。ユーザーＵは、スクリーン３に投写されている投写画像Ｐａ（図４（ａ）参照）内の所望の位置Ｌを電子ペン５の押圧操作によって指示することができる。ユーザーＵによって位置Ｌが指示されると、制御部２０は、指示された位置Ｌを中心とする所定の大きさの矩形の領域を、強調すべき領域（強調領域Ｅ）として決定する（ステップＳ１０２）。そして、制御部２０は、画像調整部２３に対して、強調領域Ｅの位置を通知するとともに、強調領域Ｅ内の画像の強調を指示する（ステップＳ１０３）。画像調整部２３は、制御部２０からの指示を受けると、強調領域Ｅ内の画像を強調する強調処理を実行する。
【００４０】
図４は、画像調整部２３による強調処理を説明するための説明図であり、（ａ）は、強調処理を行う前の投写画像を示す図、（ｂ）は、強調処理中の左眼用画像を示す図、（ｃ）は、強調処理中の右眼用画像を示す図、（ｄ）は、強調処理を行った後の投写画像を示す図である。なお、本図では、投写画像のうち左眼用画像を実線で表し、右眼用画像を破線で表している。また、図４（ａ）及び（ｄ）は、左眼用画像と右眼用画像を合成した状態を示している。
【００４１】
図４（ａ）に示すように、投写画像Ｐａは、例えば、白色無地の背景上に配置された４つのイラストＧ１〜Ｇ４を含んでいる。いずれのイラストＧ１〜Ｇ４も左眼用画像（実線）が右眼用画像（破線）の左側に位置しており、液晶シャッターメガネ４を装着した鑑賞者Ｍには、イラストＧ１〜Ｇ４がスクリーン３よりも奥に凹んでいるように認識される。ここで、ユーザーＵが、入力操作部２１の強調キーを操作した後に、右上のイラストＧ２の略中央の位置Ｌを電子ペン５で指示すると、制御部２０は、イラストＧ２を囲む矩形の領域を強調領域Ｅとして決定し、強調領域Ｅを強調させるための強調処理を画像調整部２３に指示する。
【００４２】
画像調整部２３は、制御部２０の指示に応じて、強調領域Ｅ内の視差量と、強調領域Ｅの外側（非強調領域Ｆ）の視差量を、それぞれ異なる調整量で調整する。換言すれば、画像調整部２３は、制御部２０の指示に応じて、強調領域Ｅの視差量を他の領域（非強調領域Ｆ）に対して相対的に変化させる。具体的には、図４（ｂ）、（ｃ）に示すように、画像調整部２３は、左眼用画像Ｐｌのうち強調領域Ｅに含まれる部位を所定量Ａ１だけ右側に移動させるとともに、右眼用画像Ｐｒのうち強調領域Ｅに含まれる部位を所定量Ａ２だけ左側に移動させる処理を行う。なお、左眼用画像Ｐｌの強調領域Ｅを右側に移動させることによって強調領域Ｅの左側にできる間隙Ｂ１、及び右眼用画像Ｐｒの強調領域Ｅを左側に移動させることによって強調領域Ｅの右側にできる間隙Ｂ２は、投写画像Ｐａの背景色（白色）で埋めるようにすればよい。
【００４３】
この結果、図４（ｄ）に示すように、強調領域Ｅ内にあったイラストＧ２は、左眼用画像（実線）が右眼用画像（破線）の右側に位置するようになり、他のイラストＧ１，Ｇ３，Ｇ４よりも手前に飛び出しているように認識される。これにより、イラストＧ２が強調される。
【００４４】
以上説明したように、本実施形態の画像表示システム１００（プロジェクター２）によれば、以下の効果を得ることができる。
【００４５】
（１）本実施形態のプロジェクター２によれば、画像調整部２３が、電子ペン５によって指示された位置の視差量を相対的に変化させるため、画像の立体感を部分的に調整することが可能となり、画像内の所望の位置を強調することが可能となる。
【００４６】
（２）本実施形態のプロジェクター２によれば、画像調整部２３が、電子ペン５によって指示された位置が相対的に飛び出して認識されるように視差量を変化させるため、指示された位置が強調され、鑑賞者Ｍの視線をこの領域に誘導することが可能となる。
【００４７】
なお、本実施形態では、撮像部２６及びステップＳ１０１を実行する際の制御部２０が指示入力部に相当する。また、電子ペン５による押圧操作が指示操作に相当する。また、本実施形態では、強調領域Ｅの移動量、即ち左眼用画像Ｐｌが移動する量（右側へ所定量Ａ１）と、右眼用画像Ｐｒが移動する量（左側へ所定量Ａ２）が、強調領域Ｅにおける視差量の調整量に相当する。一方、非強調領域Ｆは固定であるため、非強調領域Ｆにおける視差量の調整量は０である。
【００４８】
（第２実施形態）
以下、第２実施形態の画像表示システムについて、図面を参照して説明する。
第２実施形態の画像表示システム１００は、第１の実施形態と同一の構成であるが、プロジェクター２の動作が第１実施形態とは異なっている。第１実施形態のプロジェクター２は、左眼用画像及び右眼用画像のそれぞれについて、強調領域Ｅを移動させることによって強調領域Ｅ内の画像を強調するようにしているが、本実施形態のプロジェクター２は、強調領域Ｅは固定して、強調領域Ｅの外側の非強調領域Ｆを移動させるようになっている。
【００４９】
図５は、本実施形態の画像調整部２３による強調処理を説明するための説明図であり、（ａ）は、強調処理を行う前の投写画像を示す図、（ｂ）は、強調処理中の左眼用画像を示す図、（ｃ）は、強調処理中の右眼用画像を示す図、（ｄ）は、強調処理を行った後の投写画像を示す図である。
【００５０】
図５（ａ）に示すように、投写画像Ｐａは、例えば、白色無地の背景上に配置された４つのイラストＧ１〜Ｇ４を含んでいる。本実施形態では、いずれのイラストＧ１〜Ｇ４も左眼用画像（実線）が右眼用画像（破線）の右側に位置しており、液晶シャッターメガネ４を装着した鑑賞者Ｍには、イラストＧ１〜Ｇ４がスクリーン３よりも手前に飛び出しているように認識される。ここで、ユーザーＵが、入力操作部２１の強調キーを操作した後に、右上のイラストＧ２の略中央の位置Ｌを電子ペン５で指示すると、制御部２０は、イラストＧ２を囲む矩形の領域を強調領域Ｅとして決定し、強調領域Ｅを強調させるための強調処理を画像調整部２３に指示する。
【００５１】
画像調整部２３は、制御部２０の指示に応じて、強調領域Ｅ内の視差量と、強調領域Ｅの外側（非強調領域Ｆ）の視差量を、それぞれ異なる調整量で調整する。換言すれば、画像調整部２３は、制御部２０の指示に応じて、強調領域Ｅの視差量を非強調領域Ｆに対して相対的に変化させる。具体的には、図５（ｂ）、（ｃ）に示すように、画像調整部２３は、左眼用画像Ｐｌのうち強調領域Ｅに含まれる部位以外、即ち非強調領域Ｆの部位を所定量Ｃ１だけ左側に移動させるとともに、右眼用画像Ｐｒのうち強調領域Ｅに含まれる部位以外、即ち非強調領域Ｆの部位を所定量Ｃ２だけ右側に移動させる処理を行う。このように、本実施形態では、強調領域Ｅは固定して非強調領域Ｆの視差量を変化させることによって、強調領域Ｅの視差量を非強調領域Ｆに対して相対的に変化させる。なお、左眼用画像Ｐｌの非強調領域Ｆを左側に移動させることによって強調領域Ｅの左側にできる間隙Ｄ１及び非強調領域Ｆの右側にできる間隙Ｄ２、並びに右眼用画像Ｐｒの非強調領域Ｆを右側に移動させることによって強調領域Ｅの右側にできる間隙Ｄ３及び非強調領域Ｆの左側にできる間隙Ｄ４は、投写画像Ｐａの背景色で埋めるようにすればよい。
【００５２】
この結果、図５（ｄ）に示すように、非強調領域Ｆ内にあったイラストＧ１，Ｇ３，Ｇ４は、左眼用画像（実線）が右眼用画像（破線）の左側に位置するようになり、スクリーン３よりも奥に凹んでいるように認識される。つまり、強調領域Ｅ内のイラストＧ２は、他のイラストＧ１，Ｇ３，Ｇ４よりも飛び出して認識され、他のイラストＧ１，Ｇ３，Ｇ４よりも強調される。
【００５３】
以上説明したように、本実施形態の画像表示システム１００（プロジェクター２）によれば、第１実施形態と同様の効果を得ることができる。
【００５４】
なお、本実施形態では、非強調領域Ｆの移動量、即ち左眼用画像Ｐｌが移動する量（左側へ所定量Ｃ１）と、右眼用画像Ｐｒが移動する量（右側へ所定量Ｃ２）が、非強調領域Ｆにおける視差量の調整量に相当する。一方、強調領域Ｅは固定であるため、強調領域Ｅにおける視差量の調整量は０である。
【００５５】
（変形例）
また、上記実施形態は、以下のように変更してもよい。
【００５６】
上記実施形態では、鑑賞者Ｍに立体画像を認識させる表示方式として、左眼用画像と右眼用画像を時分割で交互に表示して、液晶シャッターメガネ４を通して鑑賞するフレームシーケンシャル方式を採用しているが、これに限定されない。例えば、左眼用画像と右眼用画像の偏光方向を変えて、偏光メガネを通して鑑賞する偏光方式を採用してもよい。また、視差バリア方式やレンチキュラー方式のように、専用のメガネを装着することなく裸眼で鑑賞可能な方式を採用してもよい。
【００５７】
上記実施形態では、画像調整部２３は、強調領域Ｅ内の部位が他の部位（非強調領域Ｆ）よりも手前に飛び出して認識されるように調整しているが、強調領域Ｅ内の部位が非強調領域Ｆよりも奥に凹んで認識されるように調整してもよい。ただし、強調領域Ｅを強調させるためには、非強調領域Ｆよりも強調領域Ｅを飛び出すようにすることが望ましい。このとき、強調領域Ｅが必ずしもスクリーン３よりも手前に飛び出す必要はなく、非強調領域Ｆよりも飛び出していればよい。
【００５８】
上記実施形態では、非強調領域Ｆの視差量を固定して、強調領域Ｅの視差量を変化させる形態（第１実施形態）と、強調領域Ｅの視差量を固定して、非強調領域Ｆの視差量を変化させる形態（第２実施形態）を説明したが、強調領域Ｅと非強調領域Ｆの双方の視差量を変化させるようにしてもよい。例えば、強調領域Ｅ内の画像を手前に飛び出させるとともに、非強調領域Ｆ内の画像を奥に凹ませるような調整を行うようにしてもよい。
【００５９】
上記実施形態において、左眼用画像の移動量（所定量Ａ１，Ｃ１）と右眼用画像の移動量（所定量Ａ２，Ｃ２）は、同じであってもよいし、左右で異なっていてもよい。また、左眼用画像と右眼用画像の双方を移動させる態様に限定されず、いずれか一方のみを移動させるようにしてもよい。
【００６０】
上記実施形態では、投写画像Ｐａの背景色が無地の場合について説明したが、背景色が無地でない画像にも適用可能である。投写画像Ｐａの背景色が無地でない場合には、強調領域Ｅの移動によってできる間隙Ｂ１，Ｂ２，Ｄ１〜Ｄ４の色は適宜定めればよい。例えば、間隙Ｂ１，Ｂ２の左側又は右側に隣接する画素の色で埋めるようにしてもよいし、左側に隣接する画素の色と右側に隣接する画素の色の間の色（例えば、平均の色）で埋めるようにしてもよい。或いは、左側に隣接する画素の色と右側に隣接する画素の色に基づいて線形補間を行い、位置に応じて段階的に色を変化させるようにしてもよい。また、投写画像Ｐａは、複数のイラストＧ１〜Ｇ４を含んだ画像に限られず、例えば、１枚の写真であってもよい。また、投写画像Ｐａは、静止画像に限定されず、動画像であってもよい。
【００６１】
上記実施形態では、ユーザーＵに指示された位置Ｌを中心とする所定の大きさの矩形領域を強調領域Ｅとして決定しているが、強調領域Ｅの決定方法はこれに限定されない。例えば、強調領域Ｅの対角の２点を電子ペン５で指示させることによって強調領域Ｅの大きさも指定できるようにしてもよいし、電子ペン５で領域を囲む動作を行わせて、囲まれた領域を強調領域Ｅとして決定するようにしてもよい。また、投写画像Ｐａを事前に複数の領域に区分して、その中から所望の領域を指示させる態様にしてもよい。
【００６２】
上記実施形態では、入力操作部２１の強調キーが操作された場合に、強調処理（ステップＳ１０１〜Ｓ１０３を含む）を行うようにしているが、強調処理を行うための操作はこれに限定されない。例えば、複数のボタン画像を含むツールバーを投写画像Ｐａ内に表示して、電子ペン５の押圧操作によって所定のボタン画像が選択された場合に、強調処理を行うようにしてもよい。
【００６３】
上記実施形態では、画像供給装置１からプロジェクター２への画像情報の伝送方式として、サイドバイサイド方式を採用しているが、これに限定されず、例えば、トップアンドボトム方式であってもよい。また、左眼用の画像情報と右眼用の画像情報とをフレーム単位で交互に伝送する方式であってもよい。
【００６４】
上記実施形態では、画像供給装置１は、立体画像を認識させるための画像情報（左眼用の画像情報及び右眼用の画像情報）をプロジェクター２に供給するようにしているが、二次元画像を表す通常の画像情報をプロジェクター２に供給する態様としてもよい。この場合には、例えば、画像分離部２２が、入力された画像情報に基づいて、左眼用及び右眼用の画像情報を同じ内容で生成し、画像調整部２３が、それぞれの強調領域Ｅに対して強調処理を行うようにすればよい。
【００６５】
上記実施形態のプロジェクター２では、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【００６６】
上記実施形態では、画像表示装置の一例として、プロジェクター２について説明しているが、画像表示装置はプロジェクター２に限定されない。例えば、液晶ディスプレイ、プラズマディスプレイ、有機ＥＬ（Electro Luminescence）ディスプレイ等、他の画像表示装置に適用することも可能である。上記のような直視型の画像表示装置に適用する場合には、強調すべき位置の指示を受け付ける指示入力部としては、撮像部２６の代わりに、表示画面に重ねて配置されるタッチパネルを用いることができる。
【符号の説明】
【００６７】
１…画像供給装置、２…プロジェクター、３…スクリーン、４…液晶シャッターメガネ、５…電子ペン、１０…画像投写部、１１…光源装置、１１ａ…光源ランプ、１２Ｒ，１２Ｇ，１２Ｂ…液晶ライトバルブ、１２ａ…画素領域、１３…投写レンズ、２０…制御部、２１…入力操作部、２２…画像分離部、２３…画像調整部、２４…液晶駆動部、２５…同期信号送信部、２６…撮像部、１００…画像表示システム、Ｅ…強調領域、Ｆ…非強調領域、Ｐａ…投写画像、Ｐｌ…左眼用画像、Ｐｒ…右眼用画像、Ｇ１，Ｇ２，Ｇ３，Ｇ４…イラスト、Ｕ…ユーザー、Ｍ…鑑賞者。
【図１】
2014003465.tif 000003
【図２】
2014003465.tif 000004
【図３】
2014003465.tif 000005
【図４】
2014003465.tif 000006
【図５】
2014003465.tif 000007